(57)【要約】      （修正有） 【課題】導入器を提供する。【解決手段】導入器１は、熱伝導体２と超音波導入体３とを含み、熱伝導体２が、第一取付部２１と、熱伝導突起と、加熱体と、熱伝導電池と、制御素子とを具有し、制御素子が熱伝導電池及び加熱体と電気連接され、制御素子で加熱体を作動させてその温度を高め、２つの熱伝導突起に転送され、超音波導入体３が、第二取付部３１と、超音波突起とを具有し、第二取付部３１が可動的に熱伝導体２の第一取付部２１に繰り返して組み立てる又は取り外すため、超音波導入体３が熱伝導体２の外表面と同一面になり、超音波導入体３がさらに超音波モータと超音波電池とを具有し、超音波電池と超音波モータとが電気連接されることにより、未使用の場合に互いに組み立てて一体になり、収納に役立ってスペースを取らない収納に役立ってスペースを取らず、使用される場合に熱伝導体２又は超音波導入体３を別々に取り外して個別で操作することができる。【選択図】図１
0003216984.tif 000002
【実用新案登録請求の範囲】
【請求項１】
熱伝導体と超音波導入体とを含み、
該熱伝導体が、第一取付部と、２つの熱伝導突起と、加熱体と、熱伝導電池と、制御素子とを具有し、該制御素子が該熱伝導電池及び加熱体とそれぞれに電気連接され、該制御素子で該加熱体を作動させてその温度を高め、２つの該熱伝導突起に転送され、
該超音波導入体が、第二取付部と、超音波突起とを具有し、該第二取付部が可動的に該熱伝導体の該第一取付部に繰り返して組み立てる又は取り外すため、該超音波導入体が該熱伝導体の外表面と同一面になり、該超音波導入体がさらに超音波モータと超音波電池とを具有し、該超音波電池と該超音波モータとが電気連接されることを特徴とする導入器。
【請求項２】
該熱伝導体が該第一取付部によって該超音波導入体の該第二取付部と組み立てられ、該超音波突起が２つの該熱伝導突起の間にある隙間に位置されることを特徴とする請求項１に記載の導入器。
【請求項３】
該超音波導入体の該第二取付部が内環槽を有し、該超音波突起が該内環槽の底面に連接されて外へ延伸され、該内環槽の槽口を挿通されることを特徴とする請求項２に記載の導入器。
【請求項４】
該熱伝導体の該第一取付部が内槽を有し、該内槽が２つの該熱伝導突起を隔て、該超音波突起の該内環槽の槽口を挿通される部分が該内槽に位置されることを特徴とする請求項３に記載の導入器。
【請求項５】
該熱伝導体の該第一取付部が複数の外周壁を有し、複数の該外周壁が２つの該熱伝導突起の表面を完全に囲んでおらず、複数の該外周壁と該内環槽のグルーブ面とが互いに係合されることを特徴とする請求項４に記載の椅子の背もたれの曲率調整装置。
【請求項６】
該熱伝導体の両端にそれぞれに充電口と該第一取付部が設けられ、該充電口が該熱伝導体の該熱伝導電池と電気連接されることを特徴とする請求項５に記載の導入器。
【請求項７】
さらにスイッチを含み、該スイッチが該熱伝導体の周りに配置され、該制御素子と電気連接されることを特徴とする請求項６に記載の導入器。
【請求項８】
該熱伝導体が該第一取付部によって該超音波導入体の該第二取付部と組み立てられることで、外表面が偏円状であることを特徴とする請求項１〜７のいずれかに記載の導入器。
【考案の詳細な説明】
【技術分野】
【０００１】
本考案は導入器に関し、特に通常の未使用時に容易に収納されるように一体に組み立て、使用時に別々に取り外してマッサージと温熱療法の効果を提供し、さらに美容ジェル、スキンケア製品と合わせ、超音波振動導入や熱温度での導入の方式で使用者の肌面に導入する導入器に関する。
【背景技術】
【０００２】
現在、一般な小型のマッサージャーは、台湾実用新案登録第Ｍ４４４８３５号の「マッサージスティックの改良構造」及び台湾実用新案登録第Ｍ４５９８５７号の「ナノ遠赤外線を有する２４Ｋゴールドストレス解消ティック」が挙げられ、いずれも微振動の原理に基づいて使用者に顔や頬や手などの部分の肌面に対し、マッサージしてストレス解消を行い、また、肌面を軽くたたくのが肌を引き上げてひきしまり、マニュアル式のサロンＳＰＡのようなハンドマッサージ体験をシミュレートし、後天性のスキンケアや毛穴の縮小の助けになり、美肌や肌の緩和などの機能を果たしている。
【０００３】
しかし、上記のマッサージャーの大多数は、肌を振動させる作用しか有しなく、普通の消費者にとってその機能は不足であり、別に温熱効果を有するマッサージャーを追加購入することもあり、台湾実用新案登録第Ｍ５３０１５３号の「アイマッサージャー」が挙げられ、冷熱の温度で眼窩に対してマッサージして冷湿布や熱湿布をする。しかし、このような頭部に装着される装置は大型であり、収納に不都合があり、使用時にも目を圧迫するため、誰もが適応することではない。
【０００４】
上記により、関連業者は大量にマッサージまたは温熱療法の装置を開発したが、それらの大部分は個別に独立した装置である。
【先行技術文献】
【特許文献】
【０００５】
【特許文献１】台湾実用新案登録第Ｍ４４４８３５号明細書
【特許文献２】台湾実用新案登録第Ｍ４５９８５７号明細書
【特許文献３】台湾実用新案登録第Ｍ５３０１５３号明細書
【考案の概要】
【考案が解決しようとする課題】
【０００６】
本考案の主な目的は、マッサージまたは温熱療法に使用され、通常の未使用時に容易に収納されるように一体に組み立て、収納に役立ってスペースを取らず、使用時に別々に取り外して個別で操作することができる導入器を提供する。
【課題を解決するための手段】
【０００７】
上述した目的を達成するために、本考案に係る導入器は、熱伝導体と超音波導入体とを含み、該熱伝導体が、第一取付部と、２つの熱伝導突起と、加熱体と、熱伝導電池と、制御素子とを具有し、該制御素子が該熱伝導電池及び加熱体とそれぞれに電気連接され、該制御素子で該加熱体を作動させてその温度を高め、２つの該熱伝導突起に転送され、該超音波導入体が、第二取付部と、超音波突起とを具有し、該第二取付部が可動的に該熱伝導体の該第一取付部に繰り返して組み立てる又は取り外すため、該超音波導入体が該熱伝導体の外表面と同一面になり、該超音波導入体がさらに超音波モータと超音波電池とを具有し、該超音波電池と該超音波モータとが電気連接される。
【考案の効果】
【０００８】
上記の記載により、該熱伝導体と該超音波導入体が互いに組み立てて一体になり、収納に役立ってスペースを取らない効果を有する。使用時に別々に取り外した後、個別で操作して肌面へのマッサージと温熱療法をすることができる。この導入器はさらに美容ジェル、スキンケア製品と合わせ、超音波振動導入や熱温度での導入を行う用途を有し、使用者に必要によって適切な器具を選択することを提供可能である。
【図面の簡単な説明】
【０００９】
【図１】本考案の組み立て状態を示す斜面図である。
【図２】本考案の分解状態を示す斜面図である。
【図３】本考案の分解状態を示す平面図である。
【図４】本考案の他の視角での状態を示す斜面図である。
【図５】本考案の超音波導入体を肌面に使用される状態を示す図である。
【図６】本考案の熱伝導体を肌面に使用される状態を示す図である。
【考案を実施するための形態】
【実施例】
【００１０】
本考案に係る導入器１が達成できる上述の目的と効果を詳しく説明するために、図及び本考案の実施例に合せてその特徴と効果を詳細に説明する。図１〜図５を参照し、導入器１は熱伝導体２と超音波導入体３とを含み、該熱伝導体２が、第一取付部２１と、２つの熱伝導突起２２と、加熱体２３と、熱伝導電池２４と、制御素子２５とを具有し、該制御素子２５が該熱伝導電池２４及び加熱体２３とそれぞれに電気連接され、該制御素子２５で該加熱体２３を作動させてその温度を高め、２つの該熱伝導突起２２に転送され、該超音波導入体３が、第二取付部３１と、超音波突起３２とを具有し、該第二取付部３１が可動的に該熱伝導体２の該第一取付部２１に繰り返して組み立てる又は取り外すため、該超音波導入体３が該熱伝導体２の外表面と同一面になり、該超音波導入体３がさらに超音波モータ３３と超音波電池３４とを具有し、該超音波電池３４と該超音波モータ３３とが電気連接される。
【００１１】
本考案に係る導入器１が、該熱伝導体２の該第一取付部２１と該超音波導入体３の該第二取付部３１との互いの組み合わせによって、使用者に可動的に繰り返して組み立てることを提供し、該熱伝導体２と該超音波導入体３とが、使用者に未使用の場合、互いに組み立てて一体になり、収納に役立ってスペースを取らない。使用される場合、該熱伝導体２の該第一取付部２１と該超音波導入体３の該第二取付部３１から速めに取り外されるため、使用者が使用方式及び用途によって、該熱伝導体２又は該超音波導入体３を選択してしようすることができる。
【００１２】
該超音波モータ３３によって微振動が発生されることで、該超音波導入体３の該超音波突起３２がストレス解消しようとする位置に対してマッサージを行い、マッサージ効果を果たす。該加熱体２３が熱エネルギーを発生して該熱伝導突起２２に伝送し、該熱伝導突起２２より人体へ熱エネルギーを伝導するため、使用される場合、該熱伝導突起２２より肌面や経穴に圧力を施する他に、確実に適切な温熱療法の効果が得られる。
【００１３】
該超音波導入体３の該超音波突起３２と該熱伝導体２の該熱伝導突起２２が、頬の寛骨の部分、頬のあごの部分、頬の法令線、双頬、眼窩の部分、眉弓の部分、さらには頸椎の部分に対し、顔と眼窩の部分の肌面のひきしまりと温熱療法の押しを行い、顔と目の周りの肌面を美化する。
【００１４】
特筆すべきことは、本考案に係る該導入器１の該超音波導入体３と該熱伝導体２は、使用者に美容ジェルやスキンケア製品と合わせて超音波導入又は熱温度での導入の行いを選択して使用することを提供し、図５及び図６に示すように、美容ジェルやスキンケア製品の肌への導入を促進し、肌の表皮層４１、真皮層４２、及び皮下組織層４３が美容ジェル、スキンケア製品又はスキンケア製品の成分を効果的に吸収させる。
【００１５】
さらに該導入器１の各部材の詳細特徴と構成を詳しく説明する。それはさらにスイッチ２０を含み、該スイッチ２０が該熱伝導体２の周りに配置され、該制御素子２５と電気連接される。該スイッチ２０を制御することにより、該制御素子２５は、該加熱体２３が加熱を作動及び中止することをさせる。
【００１６】
該熱伝導体２が該第一取付部２１によって該超音波導入体３の該第二取付部３１と組み立てられ、該導入器１が全体的に偏円状であるので、収納に役立つ他に、手持ちで操作する効果を果たす。
【００１７】
該熱伝導体２が該第一取付部２１によって該超音波導入体３の該第二取付部３１と組み立てられる時、該超音波突起３２が２つの該熱伝導突起２２の間にある隙間２６に位置されることで、空間を効果的に利用してそれぞれの組み合わせを行い、かなりデザイン感を与える。
【００１８】
該超音波導入体３の該第二取付部３１が内環槽３５を有し、該超音波突起３２が該内環槽３５の底面に連接されて外へ延伸され、該内環槽３５の槽口を挿通される。
【００１９】
なお、該熱伝導体２の該第一取付部２１が内槽２７を有し、該内槽２７が２つの該熱伝導突起３３を隔て、該超音波突起３２の該内環槽３５の槽口を挿通される部分が該内槽２７に位置される。該隙間２６が該内槽２７の外側に位置される。
【００２０】
該熱伝導体２の該第一取付部２１が複数の外周壁２８を有し、複数の該外周壁２８が２つの該熱伝導突起２２の表面を完全に囲んでおらず、該外周壁２８と該内環槽３５のグルーブ面とが互いに係合される。
【００２１】
該熱伝導体２の両端にそれぞれに充電口２９と該第一取付部２１が設けられ、該充電口２９が該熱伝導体２の該熱伝導電池２４と電気連接され、該充電口２９により外部電源に連接されて該熱伝導体２の該熱伝導電池２４の充電の行いが可能である。さらに、該超音波電池３４が二次電池でもよく、外部から充電されるものでもよい。
【００２２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２３】
１……導入器
２……熱伝導体
２０……スイッチ
２１……第一取付部
２２……熱伝導突起
２３……加熱体
２４……熱伝導電池
２５……制御素子
２６……隙間
２７……内槽
２８……外周壁
２９……充電口
３……超音波導入体
３１……第二取付部
３２……超音波突起
３３……超音波モータ
３４……超音波電池
３５……内環槽
４１……表皮層
４２……真皮層
４３……皮下組織層
【図１】
0003216984.tif 000003
【図２】
0003216984.tif 000004
【図３】
0003216984.tif 000005
【図４】
0003216984.tif 000006
【図５】
0003216984.tif 000007
【図６】
0003216984.tif 000008